(57)【特許請求の範囲】
【請求項１】
左右２枚の扉体を中間ヒンジ部により屈曲自在に連結し、両方の扉体を各外端部上下に設けた扉スライド部により食器洗い機の本体に回転スライド自在に取付け、上記各扉スライド部を上記本体の上下縁のガイドに嵌合し、上記２枚の扉体を上記中間ヒンジ部で外方に二つ折れとなるように折り畳みつつ、左右いずれか一方に開放するようにした食器洗い機の扉開閉装置において、上記いずれか一方の扉スライド部を固定位置に係合する一方、他方の扉スライド部を開放する選択装置を上記本体に設け、上記の選択装置が、選択手段、その選択手段の操作に伴い左右いずれか一方にスライドされるスライドバー、そのスライドバーの左右両端部に係合され前後方向にスライド可能で、かつ前方に付勢された係合部材とからなり、上記係合部材のスライドバーに対する係合構造が、該スライドバーに設けた左右方向ガイド溝とこれに直交する前後方向ガイド溝とからなるＴ字形ガイド溝に各係合部材に設けたガイドピンを嵌合した構造であり、前記選択手段により選択された側においてガイドピンが前後方向ガイド溝に嵌入され、反対側においてはガイドピンが左右方向ガイド溝に嵌入され、上記各係合部材が上記各扉スライド部の扉開放方向の内側に係合し、前記選択手段により選択された側において扉の開放に伴い前記付勢力に対抗して該係合部材を後退せしめ扉スライド部との係合を解除するようにしたことを特徴とする食器洗い機の扉開閉装置。
【請求項２】
上記選択手段が選択レバーにより構成され、その作動により上記スライドバーをスライドさせることを特徴とする請求項１に記載の食器洗い機の扉開閉装置。
【請求項３】
上記選択手段により選択された側において、扉開放に伴い上記係合部材と扉スライド部との係合が解除されたのち、該係合部材が付勢力により前進することにより、前記ガイドピンの位置が該係合部材の前後方向ガイド溝の奥所に移動し、上記スライドバーの移動を阻止するようにしたことを特徴とする請求項１又は２に記載の食器洗い機の扉開閉装置。
【請求項４】
上記選択手段が選択スイッチにより構成され、その作動により駆動されるアクチュエータを介して上記スライドバーをスライドさせることを特徴とする請求項１から３のいずれかに記載の食器洗い機の扉開閉装置。
【発明の詳細な説明】
【０００１】
【発明の属する技術分野】
この発明は、食器洗い機の扉開閉装置に関するものである。
【０００２】
【従来の技術】
食器洗い機の扉の開閉構造として従来から知られているものは、一枚扉の下端部両側をヒンジ軸で本体に取り付け、前方に扉を倒すように開放するものがある。また、上下２枚の扉体の下部の扉体を前記と同様に下端部両側のヒンジ軸で本体に取付け、上部の扉体を上端両側のヒンジ軸で取付けることにより、下部の扉体を前方に倒すと共に、上部の扉体を上方へはね上げて開放するようにしたものもある。さらに、二つ折りに屈曲しながら上方へはね上げて開放するものも知られている（特開２０００−２９６０９０号公報参照）。
【０００３】
【発明が解決しようとする課題】
しかしながら、上記のように、一枚扉を前方に倒すように開放する構造のものでは、食器洗い機が大型のものである場合は、それに応じて扉も大型化するので、設置場所の前方にそれに応じた余裕が必要となり、また扉開放時に全体の重心が前方に移動するので、食器洗い機が不安定になるなどの問題がある。また、上下２枚の扉体を上下に開く形式のもの、或いは二つ折りに屈曲して本体の上方に開放する形式のものは、はね上げた扉体の位置が高くなるので、大型のもの又は設置場所が高い場合には使用者の手が取手に届き難い不便がある。また、いずれの形式においても、扉が大型化することにより扉の開閉に際し、使用者の負担が大きくなる問題もある。
【０００４】
そこで、この発明は、これら従来の問題点を解消し、取扱い性の良好な食器洗い機の扉開閉装置を提供することを課題とする。
【０００５】
【課題を解決するための手段】
上記の課題を解決するために、この発明は、左右２枚の扉体を中間ヒンジ部により屈曲自在に連結し、一方の扉体をその外端部上下に設けた扉ヒンジ部により食器洗い機の本体に回転自在に取付け、他方の扉体をその外端部上下に設けた扉スライド部により上記本体の上下縁のガイドにスライド自在に嵌合し、上記２枚の扉体を上記中間ヒンジ部で外方に二つ折れとなるように折り畳みつつ、上記扉ヒンジ部側に開放するようにした食器洗い機の扉開閉装置において、上記２枚の扉体をその中間ヒンジ部で外方に二つ折れとなるように付勢する付勢手段を設け、且つその付勢手段に対抗して各扉体を閉止状態に保持するロック手段を設けた構成とした。
【０００６】
上記の構成によると、扉の前方への突き出し量は、１枚ものの扉体の半分の幅であるので、扉前方に必要な開閉空間が少なくてよい。また、扉体は水平方向に移動するので、取手の位置の変動がない。さらに、扉の重量は全て本体側で支持されるので、使用者の負担が軽減される。
【０００７】
また、上記の扉スライド部を転動体により構成すると、扉体の開閉をスムーズに行うことができる。上記のロック手段と、これに対応したロック解除手段が上記いずれか一方の扉体に設けられ、他方の扉体に上記のロック解除手段と連動する連動ロック解除手段が設けられた構成を採ることもできる。このように構成すると、どちらの扉体からでもロックを解除することができる便利さがある。
【０００８】
前記の課題を解決するその他の手段として、左右２枚の扉体を中間ヒンジ部により屈曲自在に連結し、両方の扉体を各外端部上下に設けた扉スライド部により食器洗い機の本体に回転自在に取付け、上記各扉スライド部を上記本体の上下縁のガイドにスライド自在に嵌合し、上記２枚の扉体を上記中間ヒンジ部で外方に二つ折れとなるように折り畳みつつ、左右いずれか一方に開放するようにした食器洗い機の扉開閉装置において、上記いずれか一方の扉スライド部を固定位置に係合する一方、他方の扉スライド部を開放する選択装置を上記本体に設けた構成を採ることができる。
【０００９】
上記の構成によると、前記の場合と同様に、扉の前方への突き出し量は、１枚ものの扉体の半分の幅であるので、扉前方に必要な開閉空間が少なくてよい。また、扉体は水平方向に移動するので、取手の位置の変動がない。さらに、扉の重量は全て本体側で支持されるので、使用者の負担が軽減される。その他、あらかじめ選択した左右いずれか一方の扉体側から開放することができる便利さがある。
【００１０】
上記の選択装置が、選択手段、その選択手段の操作に伴い左右いずれか一方にスライドされるスライドバー、そのスライドバーの左右両端部に係合され前後方向にスライド可能で、かつ前方に付勢された係合部材とからなり、上記係合部材のスライドバーに対する係合構造が、該スライドバーに設けた左右方向ガイド溝とこれに直交する前後方向ガイド溝とからなるＴ字形ガイド溝に、各係合部材に設けたガイドピンを嵌合した構造であり、前記選択手段により選択された側においてガイドピンが前後方向ガイド溝に嵌入され、反対側においてはガイドピンが左右方向ガイド溝に嵌入され、上記各係合部材が上記各扉スライド部の扉開放方向の内側に係合し、前記選択手段により選択された側において扉の開放に伴い前記付勢力に対向して該係合部材を後退せしめ扉スライド部との係合を解除するようにした構成を採用することができる。
【００１１】
この場合、上記選択手段が選択レバーにより構成され、その作動により上記スライドバーをスライドさせるようにしてもよい。
【００１２】
また、上記選択手段により選択された側において、扉開放に伴い上記係合部材と扉スライド部との係合が解除されたのち、該係合部材が付勢力により前進することにより、前記ガイドピンの位置が該係合部材の前後方向ガイド溝の奥所に移動し、上記スライドバーの移動を阻止するようにした構成を採ることもできる。このように構成すると、扉の開放途中において、万一、選択手段が操作させることがあっても、選択された開閉の方向が切り換わることはないので、安全である。
【００１３】
その他、上記選択手段が選択スイッチにより構成され、その作動により駆動されるアクチュエータを介して上記スライドバーをスライドさせる構成を採用することができる。
【００１４】
【発明の実施の形態】
以下、この発明の実施形態を添付図面に基づいて説明する。図１に示すように、実施形態の食器洗い機は、全体として四角形の箱型の本体１の前面開放部に扉２を開閉自在に取付けたものである。扉２は、左扉体３と右扉体４の２枚の扉体からなる。左右の扉体３、４の高さ方向の中間部には、水平方向に長い取手５、５が設けられる。右扉体４の内部に後述のロック装置６が設けられ、また、そのロック装置６に対応してロック解除ボタン７が右扉体４前面において取手５の下方に設けられる。さらに、そのロック解除ボタン７の左方において左扉体３の前面に、該ロック解除ボタン７と連動する連動ロック解除ボタン８が設けられる。
【００１５】
上記左右の扉体３、４は同一の大きさであり、各扉体３、４の内端相互が後述の中間ヒンジ部９により屈曲自在に連結される。また、右扉体４の外端部（右端部）の上下にそれぞれ扉ヒンジ部１１、１１が設けられ、右扉体４がこの扉ヒンジ部１１、１１を中心に回動自在に本体１に取付けられる。また、左扉体３の外端部（左端部）上下に扉スライド部１２、１２が設けられ、各扉スライド部１２、１２が本体１の開口部上下縁に設けたガイドレール１３、１３にスライド自在に嵌入される。各扉体３、４は、図２に示すように、右扉体４がその扉ヒンジ部１１、１１を中心に外方に回動すると、これと連動して左扉体３の扉スライド部１２、１２が、ガイドレール１３、１３を扉ヒンジ部１１、１１側に引き寄せられ、二つ折れ（外方に山折れとなる状態）に屈曲されながら開放される。全開状態において左右の扉体３、４が右端において重なる（図３参照）。この扉スライド部１２の構造の詳細は後述する。
【００１６】
上記の左右の扉体３、４を連結する中間ヒンジ部９は、図４、図５に示すように、連結支柱１４の上下両端部に設けられ、左右の扉体３、４に固定される左右のヒンジ片１５、１６と、連結支柱１４の上下両端に固定されるヒンジピン部材１７とからなる。連結支柱１４は、平面形状がほぼ半円状をなし、その左右の円弧面に沿って左右の扉体３、４の表板３ａ、４ａが回動する（図７参照）。また、連結支柱１４の背面に上下方向の溝１８が設けられる（図５参照）。各ヒンジ片１５、１６は、扉体３、４の裏板３ｂ、４ｂの内面に固定され、その裏板３ｂ、４ｂの内側縁から各扉体３、４の裏面に露出した巻曲げ部１５ａ、１６ｂが前記の溝１８に両側から嵌入される（図５の一点鎖線矢印参照）。前記のヒンジピン部材１７は、連結支柱１４の端面の形状に合致するようにほぼ半円形の板状に形成され、その下面に前記の巻曲げ部１５ａ、１６ｂに合致するヒンジピン１７ａ、１７ｂが下向きに設けられ、図５に示すように、各ヒンジピン１７ａ、１７ｂが、各巻曲げ部１５ａ、１６ｂに嵌入される。
【００１７】
中間ヒンジ部９は上記のように構成されるので、各ヒンジ片１５、１６と一体の左右の扉体３、４がヒンジピン１７ａ、１７ｂを中心として、それぞれ９０度回動可能である。
【００１８】
また、上記の連結支柱１４の内部に、上下方向の貫通穴１９が設けられ、その端面にヒンジピン部材１７の固定用ビス２１を螺合して該ヒンジピン部材１７を連結支柱１４に固定する。
【００１９】
上記の連結支柱１４の下端部近傍において、その内面側に切欠き２２が設けられる（図５参照）。この切欠き２２により前記の貫通穴１９も切り欠かれる。上記の貫通穴１９には軸部材２３が挿入される。この軸部材２３は貫通穴１９の内下端に自重により静止し、その下端から上記の切欠き２２の上部に至る長さを有する。このため、切欠き２２の部分において軸部材２３が露出し、その露出部分にねじりコイルばね２４が挿通される（図１、図６（ｂ）参照）。ねじりコイルばね２４の両脚部２４ａ、２４ｂは自然の状態では狭い角度に開いているが、これを左右に広げて復元弾性を持たせ（図５の二点鎖線参照）、その先端部を左右の扉体３、４の裏板３ｂ、４ｂに押し当てる（図６参照）。これにより、左右の扉体３、４は、ヒンジピン１７ａ、１７ｂを中心に回転するとともに相互に二つ折れ状態に屈曲する方向に付勢される（図７の矢印参照）。
【００２０】
次に、前述の扉スライド部１２の詳細を説明する。扉スライド部１２は、図８、図９に示すように、転動体としてのローラー２５をホルダー２６により保持するとともに、そのホルダー２６を左扉体３の左端部上下に設けた取付け穴２７、２７に収納し、ローラー２５の部分を外部に露出させている。ホルダー２６の下端軸部に抜止め用の係合部２８が設けられる。各ホルダー２６は上下方向に若干の余裕をもって取付けられるが、上部のものは取付け穴２７内に収納したコイルばね２９により上向きに付勢される。
【００２１】
上記構成の扉スライド部１２は、本体１の開口部の上下両縁に設けたガイドレール１３、１３にスライド自在に嵌合され、ホルダー２６の上端においてローラー２５の両側に設けたガイド片３１、３１によりガイドされる。また、各ローラー２５、２５が前記のコイルばね２９によりガイドレール１３、１３に対し押圧され、ガタつきが防止される。
【００２２】
なお、左右の扉体３、４は、図９に示すように、若干後方に傾斜した状態に設けられる。
【００２３】
上記の扉スライド部１２は、ローラー２５のような転動体に代えて、単なる摺動体（スライダー）を使用するようにしてもよい。
【００２４】
次に、前述のロック装置６と、ロック解除ボタン７、連動ロック解除ボタン８の詳細を図１０と図１１に基づいて説明する。ロック装置６は、右扉体４の内部に設けられ、図１０（ａ）に示すように、上下２本のロックピン３２、３３と、これらのロックピン３２、３３を連結する水平方向のレバー３４とからなる。レバ−３４は支点軸３５により上下方向に揺動自在に支持され、その支点軸３５の両側に設けた長穴３６、３６に上下のロックピン３２、３３に一端が回動自在に連結される。また、各ロックピン３２、３３は縦ガイド３７、３７により上下方向にガイドされ、各ロックピン３２、３３の先端部は、右扉体４の上下から出没自在に突き出し、本体１側の係合凹部３８、３８に嵌合される。
【００２５】
また、上記のレバー３４の右端部と扉体４との間にコイルばね３９を介在し、その弾性により前記レバー３４を付勢し、その付勢力により各ロックピン３２、３３の先端を係合凹部３８、３８に嵌入して、右扉体４をロックするようにしている。右扉体４のロックにより、これに連結された左扉体３も同時にロックされる。
【００２６】
上記のロックを解除するロック解除手段として、右扉体４の取手５の下方において、前面左端辺に沿って前記のロック解除ボタン７が設けられ、また、左扉体３においても取手５の下方において、前面右端辺に沿って前記ロック解除ボタン７と同じ高さに連動ロック解除ボタン８が設けられる。これらの各解除ボタン７、８は、左右方向に長い長方形の板状部分が扉体３、４の前面に露出し、その部分が下方に至る従い高くなるように傾斜しており、その傾斜面を使用者が押し込んでロックを解除するようになっている。また、上端辺にヒンジ部４１が設けられ、裏板４ｂの内面に設けられたヒンジ受け部４２に前後方向に揺動自在に支持される。
【００２７】
右扉体４に設けられたロック解除ボタン７の下端辺には脚片４３が設けられる。この脚片４３は、前記のレバー３４の一端部に設けられた傾斜カム４４に当接し、該ロック解除ボタン７が押し込まれたとき（図１１（ｂ）の矢印参照）該レバー３４の端部を下降させ、該レバー３４を傾斜させる（図１１（ａ）の二点鎖線及び矢印参照）。また、左右の各ロック解除ボタン７、８の外側辺は、左右の扉体３、４の内側辺の突き合わせ部分において対向し、右側のロック解除ボタン７に設けられた突片４５の前面に、他方の連動ロック解除ボタン８に設けられた突片４５’が重なるようになっている（図１１（ｃ）参照）。
【００２８】
左右のロック解除ボタン７、８は、上記ように突片４５と４５’とが重なっているので、ロック解除ボタン７を押し込んだ場合は、連動ロック解除ボタン８は作動されないまま、ロック装置６のレバー３４が揺動され、ロックピン３２、３３を扉体４の内部に引き込み、各係合凹部３８、３８との係合、即ちロックを解除する。また、連動ロック解除ボタン８を押し込んだ場合は、その突片４５’が右の突片４５を通じてロック解除ボタン７を連動させるので、これにより前記の場合と同様にしてロックを解除する。
【００２９】
次に、左右の扉体３、４の前面に取付けられた取手５、５について説明する。図１、図２等に示すように、各取手５を水平方向に長く設けているのは、扉体３、４が左右方向に二つ折れ状態に屈曲されながら左右方向に移動する場合に、取手５を握った手をその移動に応じて滑らしながら扉２の開閉操作を行うことができ、手首の自然な動きに合致することによる。また、各取手５の外端に近い部分は傾斜して次第に背が低くなっているが、これは、扉体３、４を開放した状態で食器４６（図１２参照）を出し入れする場合に、食器４６が取手５に当たる不都合を避けるためである。なお、取手５のその他の例を図１３（ａ）から（ｆ）に示す。
【００３０】
実施形態の食器洗い機は以上のようなものであり、左右の扉体３、４が中間ヒンジ部９の両側で１８０度の開き角をとった扉２の閉止状態では（図１参照）、扉２がロック装置６によりロックされ、勝手に開放されないようになっている。
【００３１】
これを開放する際は、使用者が左右いずれかのロック解除ボタン７、８を押し込む。そうすると、ロック装置６によるロックが解除される。ロックの解除により、左右の扉体３、４は、ねじりコイルばね２４の復元弾性により、中間ヒンジ部９のヒンジピン１７ａ、１７ｂを中心として二つ折れ屈曲しながら扉２の開放を開始する。この開放の開始は、使用者がハンドル５に触れなくとも前記の復元弾性により勝手に行われる。ねじりコイルばね２４の復元弾性だけで扉２を完全に開放させるようにすると、ねじりコイルばね２４が大型化するので、扉２が半分程度自動的に開放する程度のものとし、それ以後は使用者がハンドル５を握って右方へ移動させ、図２のようなＶ型の二つ折れ屈曲状態を経て、図１２に示した完全開放状態とする。
【００３２】
逆に、完全開放状態から扉２を閉める場合は、左右いずれかの扉体３、４の取手５を握って左方へ移動させると、前記と逆の作用により扉２が閉められ、ロック装置６の各ロックピン３２、３３が自動的に係合凹部３８、３８に嵌入し、扉２がロックされる。
【００３３】
なお、ロック解除ボタン７、８が押し込まれたことを電気的に検知し、本体１内部の洗浄用ポンプを停止する構造をとった場合は、ポンプの完全停止までの時間をかせぐために、ロック解除ボタン７、８とハンドル５、５の間にある程度の距離をおき、手の移動の間にポンプの完全停止までの時間をかせぐようにしてもよい。その距離は、例えば、ロック解除ボタン７、８とハンドル５、５の中心間距離で約１００ｍｍである。また、扉２の開放を付勢するねじりコイルばね２４を省略し、ハンドル５を把持した手により開閉するようにしてもよい。
【００３４】
以上述べた実施形態においては、扉スライド部１２を有する左扉体３側から開放するようになっており、左側から開放することはできないが、図１４から図１９に示した他の実施形態においては、あらかじめ選択した左右いずれか一方側から開放することができる。
【００３５】
即ち、図１４から図１９に示した他の実施態様においては、左開きとするか右開きとするかを予め使用者が選択する選択装置４７が設けられる。選択装置４７は、図１４及び図１５（ａ）（ｂ）に示すように、選択手段としての選択レバー４８、スライドバー４９、左右の係合部材５１、５１および各係合部材５１に装着される付勢用のコイルばね５２とにより構成される。
【００３６】
選択レバー４８は、ピン５３により水平面内で揺動自在に支持され、その一端部は片持ち式の板ばね５４の凸部５５の両側で、一定の傾斜角をもって安定するようになっている。その選択レバー４８はスライドバー４９の凹部５０に係合し、該選択レバー４８の揺動によりスライドレバー４９が左右方向にスライドする。また、選択レバー４８の他端部に設けた操作ボタン５６が、本体１の上部前縁に設けた窓孔５７に嵌入される。
【００３７】
スライドバー４９は、本体１の上部前縁の内部において、ガイド５８に支持されて左右方向に配置され、その長さは本体１のほぼ幅に達する長さである。このスライドバー４９の両端部には、Ｔ字形のガイド溝５９、５９が設けられる。各ガイド溝５９は、スライドバー４９の長さ方向の左右方向ガイド溝６１と、これに直交した前後方向ガイド溝６２とからなり、左右どちらのガイド溝５９も、前後方向ガイド溝６２が内側となるように配置される。
【００３８】
係合部材５１は、上記のスライドバー４９の両端部の下方において、本体１のガイド部６３（図１８参照）に嵌合され、前後方向にスライド自在になっており、かつその後部とばね受け６４との間に介在された前記のコイルばね５２により前方に付勢される。また、その係合部材５１の上面にガイドピン６５が設けられ、そのガイドピン６５が前記のガイド溝５９に嵌合される。
【００３９】
選択レバー４８を左に作動させて、左扉体３側から開放する場合、ガイドバー４９が、図１５（ａ）に示すように、左方に移動され、左側の係合部材５１のガイドピン６５は、左側の前後方向ガイド溝６２に嵌合される。また、右側の係合部材５１のガイドピン６５は、右側の左右方向ガイド溝６１に嵌合される。このため、左側の係合部材５１は、前後方向に移動可能であるが、右側の係合部材５１は前後方向への移動が制限される。
【００４０】
なお、ガイド溝５９及びこれを形成する左右方向ガイド溝６１、前後方向ガイド溝６２は、図示のように、上下に貫通したものであってもよく、また貫通しない凹部であってもよい。
【００４１】
各係合部材５１の先端部に外側傾斜面６６ａと内側傾斜面６６ｂの台形のカム面６６が形成される。外側傾斜面６６ａは、直角段部６０により短く制限されているが、内側傾斜面６６ｂは長く形成される。各扉体３、４のガイド片３１、３１が、それぞれ直角段部６０と外側傾斜面６６ａが作るコーナー部に係合される（図１５（ａ）参照）。
【００４２】
ところで、この実施形態においては、両方とも扉スライド部１２、１２となり、その車輪２５（図１８参照）、ガイド片３１が本体１のガイドレール１３にスライド自在に嵌合している。このような構成の扉スライド部１２のガイド片３１の部分が、前記のカム面６６のコーナー部に係合している結果、通常の状態では、左右の扉体３、４は開放されることがない。
【００４３】
次に、上記実施形態の作用について説明する。図１５（ａ）に示すように、選択レバー４８を左に作動させた状態において、左扉体３を右方に移動させると（図の二点鎖線参照）、ガイド片３１がカム面６６に沿ってスライドしながら係合部材５１をコイルばね５２の付勢力に対抗して後退させる。このとき、右側においては、ガイド片３１が直角段部６０と外側傾斜面６６ａが作るコーナー部に係合され、その位置に固定されることにより、右扉体４の回転中心となる。このため、左右の扉体３、４は前記実施形態の場合と同様に、二つ折れに屈曲された状態で右側に開放される。
【００４４】
上記のようにして、左扉体３が開放される途中において、万一、使用者が選択レバー４８を操作して、反対方向に切り換えた場合に、左右扉体３、４の開放側と固定側が切り換わることは、使用上不便であるのみならず安全上問題がある。このため、上記の実施形態においては、図１５（ｂ）に示すように、左扉体３がカム面６６を乗り越えると、係合部材５１がコイルばね５２の付勢力により前進し、ガイドピン６５を前後方向ガイド溝６２の前端側奥所６２ａに位置させる。これにより、スライドバー４９の左右方向への移動が阻止され、扉開放途中における開放側と固定側の切り換わりがなくなる。
【００４５】
また、左扉体３が閉鎖される場合は、ガイド片３１が内側傾斜面６６ｂに当たり、その傾斜角により生じる後ろ向きの分力により、係合部材５１を後退させ、カム面６６を乗り越え閉鎖位置に戻る。上記のように、内側傾斜面６６ｂは、扉閉鎖時において、ガイド片３１が当たることができるように、長く形成されている。
【００４６】
なお、選択レバー４８による選択が前記の反対に、即ち右側に傾斜された場合は、図１６に示すように、スライドバー４９が前記の逆方向にスライドして、右扉体４が左方に開放される（図１６の二点鎖線参照）。
【００４７】
また、図１９のように、選択スイッチ６７、６７'を設け、その選択スイッチ６７、６７'により作動されるソレノイド６８により、選択レバー４８を作動させるようにしてもよい。また、ソレノイド６８に代えてモーターを用いることもできる。
【００４８】
【発明の効果】
以上のように、この発明によれば、左右の扉体により構成された扉が左右方向に開閉されるので、使用者が握るハンドルの高さが一定であり、また、扉の重量は本体により支持されるので、使用者の負担が少ない利点がある。また、扉は、２枚の左右の扉体を二つ折れ状態に折り畳むので、本体の前方へ突き出す量が一枚ものの扉に比べ半分となり、食器洗い機前方に必要な開閉空間が少なくてよい利点もある。
【００４９】
また、左右の扉体の中間ヒンジ部で二つ折れ状態に屈曲するような付勢力を付与することにより、ロックを解除すると扉が自動的に又は軽く開放される便利さがある。
【００５０】
さらに、選択装置を作動させることにより、使用状況に応じて左右いずれか一方を選択することにより、選択した一方向の扉体側から開閉できる便利さがある。
【００５１】
また、扉の開放途中において、誤って選択装置を作動させることがあっても、開閉の方向が勝手に切り換わることが防止されるので安全である。
【図面の簡単な説明】
【図１】実施形態の食器洗い機の斜視図
【図２】同上の扉半開状態の一部斜視図
【図３】同上の扉全開状態の一部斜視図
【図４】（ａ）同上の扉部分の一部省略横断面図
（ｂ）同上の扉部分の一部省略正面図
【図５】同上の中間ヒンジ部の一部省略分解斜視図
【図６】（ａ）同上の中間ヒンジ部の横断平面図
（ｂ）（ａ）図のｂ−ｂ矢視図
【図７】同上の中間ヒンジ部の作用状態の一部横断平面図
【図８】（ａ）同上の扉スライド部の断面図
（ｂ）同上の扉スライド部の分解斜視図
【図９】  同上の扉部分の縦断側面図
【図１０】（ａ）同上のロック装置の一部省略縦断正面図
（ｂ）（ａ）図のｂ−ｂ線の断面図
【図１１】（ａ）同上の解除ボタン部分の一部省略縦断正面図
（ｂ）（ａ）図のｂ−ｂ線の断面図
（ｃ）（ａ）図のｃ−ｃ線の断面
【図１２】同上の扉全開状態の平面図
【図１３】（ａ）取手の変形例の一部省略平面図
（ｂ）取手の変形例の一部省略平面図
（ｃ）取手の変形例の正面図
（ｄ）（ｃ）図のｄ−ｄ線の断面図
（ｅ）取手の変形例の正面図
（ｆ）取手の変形例の正面図
【図１４】他の実施形態の一部斜視図
【図１５（ａ）】同上の選択装置の一部省略平面図
【図１５（ｂ）】同上の選択装置の作動状態を示す一部省略平面図
【図１６】同上の選択装置の他の作動状態を示す一部省略平面図
【図１７】（ａ）同上の係合部材の平面図
（ｂ）（ａ）図の正面図
（ｃ）（ｂ）図の左側面図
（ｄ）同上の選択装置の一部分解斜視図
【図１８】同上の一部断面図
【図１９】同上の選択装置の変形例の一部省略平面図
【符号の説明】
１  本体
２  扉
３  左扉体
３ａ  表板
３ｂ  裏板
４  右扉体
４ａ  表板
４ｂ  裏板
５  取手
６  ロック装置
７  ロック解除ボタン
８  連動ロック解除ボタン
９  中間ヒンジ部
１１  扉ヒンジ部
１２  扉スライド部
１３  ガイドレール
１４  連結支柱
１５  ヒンジ片
１５ａ  巻曲げ部
１６  ヒンジ片
１６ｂ  巻曲げ部
１７  ヒンジピン部材
１７ａ、１７ｂ  ヒンジピン
１８  溝
１９  貫通穴
２１  固定用ビス
２２  切欠き
２３  軸部材
２４  ねじりコイルばね
２４ａ  脚部
２４ｂ  脚部
２５  ローラー
２６  ホルダー
２７  取付け穴
２８  係合部
２９  コイルばね
３１  ガイド片
３２  ロックピン
３３  ロックピン
３４  レバー
３５  支点軸
３６  長穴
３７  縦ガイド
３８  係合凹部
３９  コイルばね
４１  ヒンジ部
４２  ヒンジ受け部
４３  脚片
４４  傾斜カム
４５、４５’  突片
４６  食器
４７  選択装置
４８  選択レバー
４９  スライドバー
５０  凹部
５１  係合部材
５２  コイルばね
５３  ピン
５４  板ばね
５５  凸部
５６  操作ボタン
５７  窓孔
５８  ガイド
５９  ガイド溝
６０  直角段部
６１  左右方向ガイド溝
６２  前後方向ガイド溝
６２ａ  前端側奥所
６３  ガイド部
６４  ばね受け
６５  ガイドピン
６６  カム面
６６ａ  外側傾斜面
６６ｂ  内側傾斜面
６７、６７’  選択スイッチ
６８  ソレノイド
【図１】
0003957984.tif 000002
【図２】
0003957984.tif 000003
【図３】
0003957984.tif 000004
【図４】
0003957984.tif 000005
【図５】
0003957984.tif 000006
【図６】
0003957984.tif 000007
【図７】
0003957984.tif 000008
【図８】
0003957984.tif 000009
【図９】
0003957984.tif 000010
【図１０】
0003957984.tif 000011
【図１１】
0003957984.tif 000012
【図１２】
0003957984.tif 000013
【図１３】
0003957984.tif 000014
【図１４】
0003957984.tif 000015
【図１５（ａ）】
0003957984.tif 000016
【図１５（ｂ）】
0003957984.tif 000017
【図１６】
0003957984.tif 000018
【図１７】
0003957984.tif 000019
【図１８】
0003957984.tif 000020
【図１９】
0003957984.tif 000021